【手続補正書】
【提出日】平成17年4月8日(2005.4.8)
【手続補正１】
【補正対象書類名】明細書
【補正対象項目名】発明の名称
【補正方法】変更
【補正の内容】
【発明の名称】エレベータ装置
【手続補正２】
【補正対象書類名】明細書
【補正対象項目名】特許請求の範囲
【補正方法】変更
【補正の内容】
【特許請求の範囲】
【請求項１】
家屋に設置され概略長方体状に一体に組立てられた架台と、
前記架台の内部空間の長手方向に配置され、前記架台に上端が固定され下端が弾性的に支持された昇降ネジと、
前記架台内に収納され、前記架台に沿って上下動されるエレベータ籠と、
前記エレベータ籠に搭載された回転駆動モータと、
前記昇降ネジにねじ込まれ前記エレベータ籠に回転自在に設けられ、かつ前記回転駆動モータにより回転駆動されるナットとを有することを特徴とするエレベータ装置。
【請求項２】
家屋に設置された架台と、
前記架台の内部空間の長手方向に配置され、前記架台に上端と下端が固定され複数のネジ要素を相互に連結して構成された昇降ネジと、
前記架台内に収納され、前記架台に沿って上下動されるエレベータ籠と、
前記エレベータ籠に搭載された回転駆動モータと、
前記昇降ネジにねじ込まれ前記エレベータ籠に回転自在に設けられ、かつ前記回転駆動モータにより回転駆動されるナットとを有することを特徴とするエレベータ装置。
【請求項３】
請求項１又は２に記載のエレベータ装置において、
前記回転駆動モータと前記ナットとの間には変速のための変速機構が介在され、
前記変速機構は、
前記回転駆動モータの出力軸に固定された第１タイミングプーリと、
前記ナットに固定された第２タイミングプーリと、
前記第１タイミングプーリと前記第２タイミングプーリとの間に掛け渡してあるタイミングベルトとからなることを特徴とするエレベータ装置。
【請求項４】
請求項１又は２に記載のエレベータ装置において、
前記エレベータ籠の形状は概略長方体状であり、前記長方体の長手方向の上下位置に配置され、前記架台にガイドされるガイドローラとからなることを特徴とするエレベータ装置。
【請求項５】
請求項１又２に記載のエレベータ装置において、
前記ナットのネジ山の裾幅を前記ナットのネジ山より小さくしたことを特徴とするエレベータ装置。
【請求項６】
請求項１又２に記載のエレベータ装置において、
前記回転駆動モータの電源であるバッテリーと、
前記バッテリーに接続され前記回転駆動モータを駆動するためのインバータ回路と、
前記バッテリーに電力を供給している商用電源が停電のとき、前記エレベータ籠を設定された階数の床に停止させる制御手段とからなることを特徴とするエレベータ装置。
【請求項７】
請求項１又２に記載のエレベータ装置において、
前記架台及び前記エレベータ籠のフレームは、板金材で製作されたものであることを特徴とするエレベータ装置。
【請求項８】
請求項４に記載のエレベータ装置において、
前記架台のフレームは板金材で作られ、前記フレームに前記ガイドローラを案内するためのローラガイド溝が形成されていることを特徴とするエレベータ装置。
【手続補正３】
【補正対象書類名】明細書
【補正対象項目名】０００１
【補正方法】変更
【補正の内容】
【０００１】
【発明の属する技術分野】
本発明は、エレベータ装置に関する。更に詳しくは、ネジ駆動機構によりエレベータ籠を昇降駆動するエレベータ装置に関する。
【手続補正４】
【補正対象書類名】明細書
【補正対象項目名】０００３
【補正方法】変更
【補正の内容】
【０００３】
また、ワイヤーの伸縮性、油圧装置の特性によるエレベータ籠の停止位置の誤差の発生等の理由から、毎月の点検を技術的にも法令上からも要求される。取り分け、このような高価なシステムとメインテナンスコストの問題は、小規模住宅にホームエレベータを設置するときの障害となる。小規模住宅にホームエレベータを設置する必要性が高まっている今日の高齢化社会にあっては、これらの解決なしに普及は難しい。
【手続補正５】
【補正対象書類名】明細書
【補正対象項目名】０００４
【補正方法】変更
【補正の内容】
【０００４】
また、これらのものは、建物内部に一体に組み込んだものであるから、組立・取付作業に日時と費用がかかるという問題もある。従来方式では、既存の家屋にホームエレベータを取り付けることも困難であることが多い。更に、既存のエレベータの架台は、建築資材である圧延で作られたＩ、Ｔ、Ｌ形鋼等がエレベータの架台、エレベータ籠の構造要素に使用されている。これらの資材は、軽量化、組立精度という点でエレベータを構成する構造部材としての使用には難点がある。
【手続補正６】
【補正対象書類名】明細書
【補正対象項目名】０００６
【補正方法】変更
【補正の内容】
【０００６】
一方、ホームエレベータで、ネジ駆動により家屋の床を昇降させるものは知られている（特開平６−３２９３６１号、特開平９−１８８４８８号等）。提案されたネジ駆動のシステムは、架台に上下を固定された昇降ネジと、この昇降ネジにナットをねじ込んでナットを駆動してエレベータ籠を昇降駆動するものである。
【手続補正７】
【補正対象書類名】明細書
【補正対象項目名】０００７
【補正方法】変更
【補正の内容】
【０００７】
これらのネジ駆動によるシステムは、前述したものに比して省スペースに設置できる、メインテナンスコストが少なくてすむ等の特徴がある。しかしながら、家屋への取付・組立の工数が多い、既存家屋への設置が難しい、長いネジを製作する等の問題がある。また、圧縮荷重によりネジが挫屈する心配から、例えば４階建のような高い建物にはネジ駆動方式は適用しにくい問題もある。
【手続補正８】
【補正対象書類名】明細書
【補正対象項目名】００１０
【補正方法】変更
【補正の内容】
【００１０】
本発明の目的は、家屋への取付・組立が簡単なエレベータ装置を提供することにある。
【手続補正９】
【補正対象書類名】明細書
【補正対象項目名】００１１
【補正方法】変更
【補正の内容】
【００１１】
本発明の他の目的は、ネジ駆動方式であっても比較的高い家屋でも適用できるエレベータ装置を提供することにある。
【手続補正１０】
【補正対象書類名】明細書
【補正対象項目名】００１２
【補正方法】変更
【補正の内容】
【００１２】
本発明の更に他の目的は、既存家屋へ設置できるエレベータ装置を提供することにある。
【手続補正１１】
【補正対象書類名】明細書
【補正対象項目名】００１３
【補正方法】変更
【補正の内容】
【００１３】
本発明の更に他の目的は、取付・組立精度が高いエレベータ装置を提供することにある。
【手続補正１２】
【補正対象書類名】明細書
【補正対象項目名】００１４
【補正方法】変更
【補正の内容】
【００１４】
本発明の更に他の目的は、小電力で運転できるエレベータ装置を提供することにある。
【手続補正１３】
【補正対象書類名】明細書
【補正対象項目名】００１７
【補正方法】変更
【補正の内容】
【００１７】
第１又は第２の発明のエレベータ装置において、前記回転駆動モータと前記ナットとの間には回転駆動モータの回転速度を減速するための変速機構を介在させるのが望ましい。変速機構は、歯車機構、チェーン機構等の公知の減速機構で良いが、騒音が小さいという点で下記のものが望ましい。
【手続補正１４】
【補正対象書類名】明細書
【補正対象項目名】００１８
【補正方法】変更
【補正の内容】
【００１８】
すなわち、前記変速機構は、前記回転駆動モータの出力軸に固定された第１タイミングプーリと、前記ナットに固定された第２タイミングプーリと、前記第１タイミングプーリと前記第２タイミングプーリとの間に掛け渡してあるタイミングベルトとからなるものが良い。
【手続補正１５】
【補正対象書類名】明細書
【補正対象項目名】００１９
【補正方法】変更
【補正の内容】
【００１９】
第１又は第２の発明のエレベータ装置において、前記エレベータ籠の形状は概略長方体状であり、前記長方体の長手方向の上下位置に配置され、前記架台にガイドされるガイドローラを配置すると良い。
【手続補正１６】
【補正対象書類名】明細書
【補正対象項目名】００２０
【補正方法】変更
【補正の内容】
【００２０】
第１又は第２の発明のエレベータ装置において、前記ナットのネジ山の裾幅を前記ナットのネジ山より小さくすると、前記ナットは長期摩耗に耐えうることもできる。
【手続補正１７】
【補正対象書類名】明細書
【補正対象項目名】００２１
【補正方法】変更
【補正の内容】
【００２１】
第１又は第２の発明のエレベータ装置において、前記回転駆動モータの電源であるバッテリーと、前記バッテリーに接続され前記回転駆動モータを駆動するインバータ回路と、前記バッテリーに電力を供給している商用電源が停電のとき、前記エレベータ籠を設定された階数の床に停止させる制御手段とから構成すると、停電時に対応できる。
【手続補正１８】
【補正対象書類名】明細書
【補正対象項目名】００２２
【補正方法】変更
【補正の内容】
【００２２】
第１又は第２の発明のエレベータ装置において、前記架台及び前記エレベータ籠のフレームは、板金材で製作されたものであるとエレベータの軽量化の点で効果的である。また、前記架台のフレームは板金材で作られ、前記フレームに前記ガイドローラを案内するためのローラガイド溝を構成すると良い。前記架台の縦支柱と横桁は、金属板を板金加工して製作されているものが良い。望ましくは、強度、軽量の点からチタン板、チタン合金板で作ると良い。また、エレベータ籠の側面板、天井面板は、難燃材料であるという点と、軽量化という観点からアルミ板、合板、合成樹脂板等が最適である。同じく床面板は、強度の点からチタン板、チタン合金板が望ましい。
【手続補正１９】
【補正対象書類名】明細書
【補正対象項目名】００２４
【補正方法】変更
【補正の内容】
【００２４】
架台２は、ホームエレベータ１の本体を構成する機体である。架台２の骨格は、４本の垂直に配置された縦支柱３と、これらを連結する横桁４とからなる。すなわち４本の縦支柱３の上端と下端は、それぞれ４本の横桁４で連結されている。
【手続補正２０】
【補正対象書類名】明細書
【補正対象項目名】００２６
【補正方法】変更
【補正の内容】
【００２６】
図２は、エレベータ籠５と籠駆動機構６の外観を示す外観図である。エレベータ籠５は、概略箱形で長方体状のものである。この内部は人が入るように空間であり、この空間の縦方向の長さは人の高さより若干高い程度である。エレベータ籠５の骨格は、４本の垂直に配置された籠縦支柱１１と、これらを連結する１０本の籠横桁１２とからなる。すなわち、４本の籠縦支柱１１の上端と下端は、それぞれ４本の籠横桁１２で連結されている。
【手続補正２１】
【補正対象書類名】明細書
【補正対象項目名】００３４
【補正方法】変更
【補正の内容】
【００３４】
第２タイミングプーリ４０は、ナット４１に固定されている。ナット４１は、補強板３５に軸受（図示せず）に回転自在に、かつその軸線方向に移動不能に支持されている。ナット４１は、昇降ネジ４５にねじ込まれている。ナット４１と昇降ネジ４５との噛み合い部分の断面構造は、図７に示す。昇降ネジ４５のネジ山の根元（山裾）の幅Ｗ2は、ナット４１のネジ山の根元（山裾）の幅Ｗ1よりも厚い。この理由は、ナット４１はエレベータ籠５を駆動するとき、ナット４１を回転駆動するのでナット４１のネジの摩耗が大きいためである。
【手続補正２２】
【補正対象書類名】明細書
【補正対象項目名】００３８
【補正方法】変更
【補正の内容】
【００３８】
［昇降ネジ４５］
図５は、昇降ネジ４５を示す図である。図６は、昇降ネジ４５を架台２に取り付けた状態を示す断面図である。昇降ネジ４５は、互いに連結された３個のネジ要素からなるものである。即ち、図５に図示されたものは、３階建ての家屋に適用されるものであり、昇降ネジ４５は中空の管である下端ネジ部５５、中間ネジ部５６、及び上端ネジ部５７の３本を相互に連結して構成されたものである。下端ネジ部５５、中間ネジ部５６、及び上端ネジ部５７の外周には、雄ネジがそれぞれに形成されている。
【手続補正２３】
【補正対象書類名】明細書
【補正対象項目名】００３９
【補正方法】変更
【補正の内容】
【００３９】
例えば４階建の家屋にこの昇降ネジ４５を使用するときは、下端ネジ部５５、上端ネジ部５７、及び２本の中間ネジ部５６を使用する。すなわち中間ネジ部５６を１本分だけ継ぎ足すことにより、高い家屋の昇降ネジ４５にも適用できる。下端ネジ部５５は、下端の端面まで大径であり、上端は小径に形成されている。この外周には、雄ネジ５８が形成されている。一方、中間ネジ部５６の下端部には、穴が軸線方向に開けられておりこの内周面に雌ネジ５９が形成されている。中間ネジ部５６の雌ネジ５９には、下端ネジ部５５の上端の小径部の雄ネジ５８がねじ込まれて、下端ネジ部５５と中間ネジ部５６とは相互に連結されている。
【手続補正２４】
【補正対象書類名】明細書
【補正対象項目名】００４１
【補正方法】変更
【補正の内容】
【００４１】
一方、下端ネジ部５５の下端部には、弾性ナット７０がねじ込まれている。弾性ナット７０は、合成樹脂エラストマー等の弾性部材で作られている。弾性ナット７０は、その外周を固定フランジ７１により固定板７２にボルト７３により固定されている。固定板７２は、架台２の最下段の横桁４に連結され固定されている。従って、昇降ネジ４５の下端は架台２に完全な固定ではなく、弾性的に支持されている。
【手続補正２５】
【補正対象書類名】明細書
【補正対象項目名】００５３
【補正方法】変更
【補正の内容】
【００５３】
図１０（ｂ）に示す昇降ネジ９２は、複数個の同一形状のネジ要素を結合したものである。単一ネジ要素９３は、中実の棒材から作られ、この外周には雄ネジ９４が形成されている。単一ネジ要素９３の下端部には穴が開けられており、この穴の内周面に雌ネジ９５が形成されている。各単一ネジ要素９３の上端は小径に形成され、この外周に雄ネジ９６が形成されている。下端部の各雌ネジ９５には、単一ネジ要素９３の雄ネジ９６がねじ込まれて、各要素は連結され１本の昇降ネジ９３を構成する。このネジによる連結だけでは、連結に位相のズレが生じるので、両者を貫通するように、ネジ結合部にダボピン９７が圧入されている。
【手続補正２６】
【補正対象書類名】明細書
【補正対象項目名】００５４
【補正方法】変更
【補正の内容】
【００５４】
［その他の実施の形態］
エレベータは、一般にエレベータ籠の上昇と下降の負荷バランスを安定させるためバランサーを使用されている。従って、前記実施の形態においても、エレベータ籠のバランスを安定させるためにバランサーを使用すると良い。